(57)【要約】【課題】    指針と、表示板上の指針の背景領域とを、異なる色で見せる斬新な照明演出を行うと共に、指針を移動させる駆動源にかかる負荷を抑制させることが可能な指示計器を提供すること。【解決手段】    指示計器１１は、光源２と、指標を備える表示板３と、前記指標を移動指示してなる指針４と、前記指針４に設けられ前記指針４と共に移動し前記光源２からの光を前記表示板３上に反射導光しその所定領域Ｂを照明する導光部５と、前記導光部５から前記表示板３上に至る光路上に前記指針４とは分離して固定配設され前記導光部５から前記表示板３側に向かう光の色を変更する色変更手段８と、を備える。【選択図】図２
2007064660.tif 000002
【特許請求の範囲】
【請求項１】
光源と、
指標を備える表示板と、
光透過性部材からなり前記指標を移動指示する指針と、
前記指針に設けられ前記指針と共に移動し前記光源からの光を前記表示板上に反射導光しその所定領域を照明する導光部と、
前記導光部から前記表示板上に至る光路上に前記指針とは分離して固定配設され前記導光部から前記表示板側に向かう光の色を変更する色変更手段と、
を備えることを特徴とする指示計器。
【請求項２】
前記色変更手段は、前記表示板を保持部材に固定する固定部材の一部によって構成されることを特徴とする請求項１に記載の指示計器。
【請求項３】
前記色変更手段は、前記駆動軸が貫通する前記表示板の開口縁に設けられてなることを特徴とする請求項１に記載の指示計器。
【請求項４】
前記色変更手段は、複数の色変更部を備えることを特徴とする請求項１に記載の指示計器。
【請求項５】
前記所定領域は、前記指針の背景領域であることを特徴とする請求項１に記載の指示計器。
【請求項６】
前記表示板は、前記色変更手段から放たれる光を反射する略円弧形状の反射部を備えることを特徴する請求項１に記載の指示計器。
【発明の詳細な説明】
【技術分野】
【０００１】
本発明は、車両等に搭載する指示計器に関するものであって、特に指針が表示板に設けられる指標を移動指示することによって、車両の速度やエンジンの回転数等の車両情報を示す指示計器に関するものである。
【背景技術】
【０００２】
特許文献１に開示される指示計器は、透光性部材からなる指針と、指針の回動に伴って移動する指針の背景領域（表示板上の所定領域）とを指針に設ける色変更手段であるカラーフィルターを用いて異なる色で見せることで、斬新な演出を提供するものである。
【特許文献１】特開２００３−３０２２６１号公報
【発明の開示】
【発明が解決しようとする課題】
【０００３】
しかしながら、特許文献１に開示される指示計器は、指針に、色変換手段であるカラーフィルタを設けるものであるため、指針における部品点数が増加し、指針の重量が増すことで、指針を回動させる駆動源にかかる負荷が大きくなってしまうおそれがある。
【０００４】
本発明は、この点に鑑みてなされたもので、指針と、表示板上の指針の背景領域とを、異なる色で見せる斬新な照明演出を行うと共に、指針を移動させる駆動源にかかる負荷を抑制させることが可能な指示計器を提供することを目的とする。
【課題を解決するための手段】
【０００５】
本発明は、前述した課題を解決するため、光源と、指標を備える表示板と、光透過性部材からなり前記指標を移動指示する指針と、前記指針に設けられ前記指針と共に移動し前記光源からの光を前記表示板上に反射導光しその所定領域を照明する導光部と、前記導光部から前記表示板上に至る光路上に前記指針とは分離して固定配設され前記導光部から前記表示板側に向かう光の色を変更する色変更手段と、を備えることを特徴とする指示計器。
【０００６】
また本発明は、請求項２に記載のように、前記色変更手段は、前記表示板を保持部材に固定する固定部材の一部によって構成される。
【０００７】
また本発明は、請求項３に記載のように、前記色変更手段は、前記駆動軸が貫通する前記表示板の開口縁に設けられてなる。
【０００８】
また本発明は、請求項４に記載のように、前記色変更手段は、複数の色変更部を備える。
【０００９】
また本発明は、請求項５に記載のように、前記所定領域は、前記指針の背景領域である。
【００１０】
また本発明は、請求項６に記載のように、前記表示板は、前記色変更手段から放たれる光を反射する略円弧形状の反射部を備える。
【発明の効果】
【００１１】
本発明は、指針と、表示板上の指針の背景領域とを、異なる色で見せる斬新な照明演出を行うと共に、指針を移動させる駆動源にかかる負荷を抑制させることが可能な指示計器を提供することができる。
【発明を実施するための最良の形態】
【００１２】
以下、添付図面に基づいて、本発明を適用した指示計器の実施形態を説明する。
【００１３】
図１から図４は、本発明の第一の実施形態を示す。図１は、指示計器１の正面図であり、図２は、図１のＡ−Ａ断面図であり、図３は、要部斜視図であり、図４は、要部正面図である。
【００１４】
本実施形態による指示計器１は、図１から図４に示すように、光源２と、表示板３と、指針４と、導光部５と、駆動軸６を備える駆動源７と、色変換手段（以下、カラー部材と記す）８と、をケース９に収容してなり、指針４と表示板３との対比判読によるアナログ表示を用いて車両の速度を示す。
【００１５】
光源２は、後に詳述する回路基板１０上に複数実装されるトップビュータイプの発光ダイオードであり白色に発光し、指針４を照明する。
【００１６】
表示板３は、合成樹脂等からなる透光性部材に、所定色からなり車両の速度を示す指標となる０から１６０の数字と、この数字に対応する目盛、マーク等を形成する透光性の着色印刷層１１と、この着色印刷層１１の周囲を囲むように目盛、文字、マーク等の背景となる背景印刷層１２と、を備える。背景印刷層１２は、白色系の着色インクを用いて形成されている。また、表示板３は、駆動軸６及び指針４本体の受光部１３に対応する領域に貫通孔状の開口１４を備えている。
【００１７】
指針４は、ポリカーボネートやアクリル合成樹脂からなる透光性の指針本体１５と、この指針本体１５の回動中心部Ｒの前方及びその周囲を覆って背後が開口する黒色系の遮光性合成樹脂からなる遮光性部材であるキャップ形の遮光性カバー１６と、指針本体１５の回動中心部Ｒの背後（図２中、指針本体１５の下側）に固定され、黒色系の遮光性合成樹脂からなる円盤形の被覆部材１７とからなる。
【００１８】
指針本体１５は、その回動中心部Ｒに、光源２の光Ｌ１を内部に採り入れる受光部１３と、この受光部１３より採り入れた光Ｌ１を先端側に反射する指針反射部１８と、光源２の光Ｌ２を表示板３に導く導光部５と、を備え、遮光カバーで覆われない部分の反観察者側面には、赤色層がホットスタンプ等によって形成されており、昼間は外光反射により赤色で視認され、夜間等の光源２による照明時には、光源からの光２が赤色層で反射し、赤色で視認される。
【００１９】
導光部５は、回動中心部Ｒにおける指針本体１５下部（反観察者側）から光源２に向かって垂れ下がるように設けられる垂下部１９からなり、その先端には、光源２からの光L２が表示板３上の指針直下及びその周囲からなる指針背景領域（所定領域）Ｂに向かって反射するように傾斜して設定される反射面２０が設けられる。以上の構成の導光部５は、指針４と共に回動するため、表示板３照明光Ｌ２が指針４と共に回動し、レーダ風のイメージで指示計器１を演出することができる。
【００２０】
なお、本実施形態においては、図４に示すように、所定領域Ｂの中心に指針４が位置するように所定領域Ｂを設定したが、所定領域Ｂの範囲及び位置は、反射面２０の大きさ，形状及び位置等によって任意に設定する。例えば、指針４の指示速度よりも低速側あるいは高速側のみを照明することも可能であり、また、指針４の指示領域とは点対称の位置を照明することも可能である。  
【００２１】
なお、本実施形態においては、導光部５は、指針本体１５に一体に設けるものであったが、指針４と共に移動するものであれば、別体に設けてもよい。例えば、図５に第二の実施形態として示すように、導光部５を被覆部材１７に設けるものとし、被覆部材１７から光源２に向かって垂れ下がる垂下部１９の先端に銀を材料として蒸着や印刷等の鏡面加工により反射面２０を形成してもよい。
【００２２】
被覆部材１７は、駆動軸６に連結されるボス部２１と、指針本体１５が光を取り入れる受光部１３に光を透過させる透過部２２と、指針本体１５に設けられる導光部５を露出させる露出部２３とを備える。
【００２３】
なお、指針４は、被覆部材１７を備えなくともよく、図６に第三の実施形態として示すように、指針本体１５の下側（反観察者面）が全て露出し、指針本体１５に設けるボス部２１に駆動軸６を連結するものであってもよい。
【００２４】
カラー部材８は、光透過性樹脂からなり駆動軸６に対して水平方向の断面が半円の青色と黄色にそれぞれ着色された２つの色変更部２４，２５によって円筒形状となっており、駆動軸６が挿通する開口１４の周縁を囲んで、かつ、その先端が遮光性カバー１６に向けて延びる筒状の壁部２６と、この壁部２６の上端外周部より開口１４の周囲に突出して表示板３の表面に当接するフランジ２７と、壁部２６の下端より部分的に駆動軸６に沿って伸長し且つその先端に外方へ向けて突出する係合部２８を有する脚部のような弾性片２９とから構成されている。
【００２５】
そして、保持部材であるケース９に載置した状態で、開口１４にカラー部材８の弾性片２９を挿入し、弾性片２９の係合部２８をケース９の背面に係合させることにより、カラー部材８をケース９に固定し、導光部５から表示板３上に至る光路上に指針４とは分離して配設する。同時に、カラー部材８は、表示板３を固定する固定部材である。表示板３は、その開口１４がカラー部材８とケース９とで挟まれるように固定されるので、表示板３の開口１４付近が指針４側へ浮き上がることを防止することができる。
【００２６】
以上の構成において、開口１４を３６０度囲むカラー部材８は、１８０度づつ青色の色変更部（青色部材）２４と黄色の色変更部（黄色部材）２５とからなるため、表示板３の車速を示す目盛１１の１００が青色部材２４と黄色部材２５との境界の延長線上に位置するように、ケース９に固定すると、図１に示すように、指針４が時速０から１００ｋｍを指示する低速範囲Ｃにおける指針４背景領域Ｂは、青色で照明され、指針が時速１００から１６０ｋｍを指示する高速範囲Ｄにおける指針４背景領域Ｂは、黄色で照明される。特許文献１に開示される指示計器は、指針４背景領域Ｂを、単色でのみ照明するが、これに対し、本発明にかかる本実施形態の指示計器１は、指針４背景領域Ｂを青色と黄色の複数色で照明することができ、より優れた見栄えを演出するものである。
【００２７】
このように光の色を変更する色変更部材８を表示板３をケース９に固定するカラー部材８と兼用としたことによって、駆動源７にかかる負荷を抑制し、部品点数を増やすことなく、指針４の発光色を赤色とし、指針４背景領域Ｂを青色と黄色とで照明することで、レーダー風の斬新な見栄えを演出することができる。
【００２８】
なお、カラー部材８は、単色の光透過性樹脂のみによって構成するものでもよく、異なる色からなる色変更部を複数設けることによって形成するものであってもよい。また、その色の色彩も任意である。
【００２９】
駆動源７は、ステッピングモータや交差コイル等からなり、後に詳述する回路基板１０の背面に設けられる。駆動源７は、駆動源７から回路基板１０を貫通して表示板３方向に延びる駆動軸６を有し、駆動軸６の先端には、指針４の回動中心部Ｒ（ボス部２１）が固定される。  
【００３０】
見返し部材３０は、黒色の合成樹脂等からなり、中央に表示板３を臨む窓部３１が設けられる。見返し部材３０は、表示板３の観察者側に所定の間隔を隔てて設けられており、窓部３１の縁には表示板３に垂れ下がり、断面が略すり鉢状となるように傾斜し、導光部５の反射面２０もしくはカラー部材８と対向する正面視円弧状のリング（反射部）３２を備える。リング３２は、その表面に光を反射する金属調層を備える。リング３２は、カラー部材８を透過した光Ｌ２を表示方向に反射する。以上の構成によって指示計器１は、指針４の回動領域外周を囲むように円弧状に設けられるリング３２の照明領域を立体感及び光沢感を付与して演出する。
【００３１】
なお、本実施形態においては、表示板３ではなく、見返し部材３０にリング３２を設けるものであったが、観察者側前面に設けられる部材であれば、表示板３としてみなす。リング３２は、単体で表示板３上に設けるものでもよく、また、部材は任意である。また、反射部３２の形状は、円弧形状に限らず、コの字形状や星型形状等、任意に設定することができる。
【００３２】
回路基板１０は、ガラスエポキシ樹脂等からなる硬質の基板であり、その背面に駆動源７が実装され、前面にはＬＥＤからなる複数の光源２が実装されている。
【００３３】
ケース９は、合成樹脂からなり、回路基板１０の背面側を覆う白色材料と、観察者側前面を覆う透明材料とからなり、指針４、表示板３，駆動源７及び回路基板１０等の指示計器１の主な構成要素を収容するものである。
【００３４】
以下、本実施形態の指示計器１における照明構造を説明する。
【００３５】
回路基板１０上であって、指針４の駆動軸６の周囲に設けられた光源２から発せられた光Ｌは、指針２受光部１３から指針本体１５に入射して、指針２を赤色発光させる光Ｌ１と、指針本体１５から垂下する導光部５（垂下部１９）の先端に設けられる反射面２０で反射し、カラー部材８を透過して表示板３上の指針４背景領域Ｂを青色もしくは黄色で照明する光Ｌ２とで構成される。以上の照明構造により、観察者は、赤色発光する指針４が、青色もしくは黄色の背景の上を浮遊するように回動する様子を視認する。
【００３６】
以上の構成からなる本実施形態の指示計器１は、光源２の発光色を変更して、指針４背景領域Ｂの照明色とする色変更部材を設けたことで、指針４の発光色と指針４背景領域Ｂとを異なる色で照明する斬新な見栄えを演出し、かつ、色変更部材８をカラー部材８で兼用したことにより、指針４を駆動する駆動源７にかかる負荷を抑制することができる。また、カラー部材８（色変更部材）を青色部材２４と黄色部材２５とで構成したことにより、指針背景領域Ｂを複数の照明色で照明することができ、より見栄えを向上させることができる。
【００３７】
このように本発明は、指針４と、表示板３上の指針４の背景領域Ｂとを、異なる色で見せる斬新な照明演出を行うと共に、指針４を移動させる駆動源７にかかる負荷を抑制させることが可能な指示計器１を提供することができる。
【００３８】
また、本発明は、色変更手段８が表示板３を保持部材９に固定する固定部材の一部によって構成されることで、色変更手段８を別部材として設ける必要がなく、部品点数の増大を招くことがない。
【００３９】
また、本発明は、色変更手段８を、前記駆動軸６が貫通する前記表示板３の開口縁１４に設けることで、カラーフィルタ等の色変更手段８を、表示板３と指針４との間からの漏光を抑制する遮光部材からなるカラー部材８の所定箇所に設け、漏光を防ぐ領域と、光を漏らして照明する領域Ｂとを構成することも可能である。なお、色変更手段８は、光漏れ（ハレーション）を防止する筒状部材としてもよい。
【００４０】
また、本発明は、色変更手段８が複数の色変更部２４，２５を備えることで、所定領域Ｂを複数の色で照明することができ、より優れた見栄えとすることができる。
【００４１】
また、本発明は、所定領域Ｂを指針４の背景領域Ｂとすることで、表示板３上を指針４が浮遊するレーダー風の演出とすることができる。
【００４２】
また、本発明は、表示板３が、色変更手段８から放たれる光を反射する円弧形状の反射部を備えることで、指針４の浮遊する背景を立体的に見せることができる。
【図面の簡単な説明】
【００４３】
【図１】第一の実施形態における指示計器１１の正面図。
【図２】上記実施形態における図１のＡ−Ａ断面図。
【図３】上記実施形態における要部斜視図。
【図４】上記実施形態における要部正面図。
【図５】第二の実施形態における指示計器１の断面図。
【図６】第三の実施形態における指示計器１の断面図。
【符号の説明】
【００４４】
１  指示計器
２  光源
３  表示板
４  指針
５  導光部
８  色変更手段（カラー部材，固定部材）
２０  反射面
Ｂ  所定領域
【図１】
2007064660.tif 000003
【図２】
2007064660.tif 000004
【図３】
2007064660.tif 000005
【図４】
2007064660.tif 000006
【図５】
2007064660.tif 000007
【図６】
2007064660.tif 000008